(57)【要約】【課題】  大小の指サイズに対応した調節機能を設けると共に、より効率的、効果的に力を加えられるように機能を充実させ、施術者の指を保護するなど、実用的な指装着式の指圧補助具を提供する。【解決手段】  本発明の指圧補助具は、裏側に複数の突起を設けて指で表面を押圧する押圧部と、前記押圧部の先端部と結合すると共に前記押圧部の両側面に向けて分岐した左右のアーム部とからなり、前記左右に分岐したアーム部はそれぞれ長円形の孔を備え、前記押圧部の両側面に凸状の係止ボタンをそれぞれ形成し、前記アーム部の前記長円孔に前記係止ボタンを挿入することで袋状空間を形成して指の装着を可能にした前記指圧補助具において、前記押圧部の両側面に、前記先端部を前側として、前記凸状係止ボタンの後側に同形状の追加係止ボタンを更に形成して指サイズ対応調節機能を備え、前記押圧部は、指の先端と当接する周辺縁部分に前記押圧部表面より高い周縁壁を備える。【選択図】図１
2015198878.tif 000002
【特許請求の範囲】
【請求項１】
指に装着して、身体のこり部分に触診しつつ効率的、効果的に力を前記こり部分に印加可能な指圧補助具であって、
前記指圧補助具は、
裏側に複数の突起を設け、指で表面を押圧する押圧部と、
前記押圧部の先端部と結合すると共に前記押圧部の両側面に向けて分岐した左右のアーム部とからなり、
前記左右に分岐したアーム部はそれぞれ長円形の孔を備え、
前記押圧部の両側面に逆凸状の係止ボタンをそれぞれ形成し、前記アーム部の前記長円孔に前記係止ボタンを挿入することで袋状空間を形成して指の装着を可能にした前記指圧補助具において、
前記押圧部は更にその両側面に、前記先端部を前側として、前記逆凸状係止ボタンの後側に同形状の追加係止ボタンを更に形成することで指サイズ対応調節機能を備え、
前記押圧部は、指の先端と当接する周辺縁部分に前記押圧部表面より高い周縁壁を備える、ことを特徴とする前記指圧補助具。
【請求項２】
前記押圧部は、その表面後部に円弧状で前記先端側が急峻に突起している滑り止め部を備える、ことを特徴とする請求項１の指圧補助具。
【請求項３】
指の爪先部分に対応する前記押圧部の前記先端部に中突起を設ける、ことを特徴とする請求項１または２の指圧補助具。
【請求項４】
前記押圧部の前方部の厚さを薄くすると共に、前記押圧部の前記前方部の裏面の突起を小突起とする、ことを特徴とする請求項１乃至３の指圧補助具。
【請求項５】
前記押圧部裏面の後側の突起は、前記小突起よりも大きな大突起とする、ことを特徴とする請求項１乃至４の指圧補助具。
【請求項６】
前記押圧部及びアーム部ならびに前記追加係止ボタンを指の第１関節を越えて形成し、指の第１関節を越えた箇所で前記アーム部と追加係止ボタンを係止可能にした、ことを特徴とする請求項１乃至５の指圧補助具。
【請求項７】
指に装着して、身体のこり部分を触診して効率的に力を前記こり部分に印加してほぐす指圧補助具であって、
前記指圧補助具は、
裏側に複数の突起を設け、指で表面を押圧する押圧部と、
前記押圧部の先端部と結合すると共に前記押圧部の両側面に向けて分岐した左右のアーム部とからなり、
前記左右に分岐したアーム部はそれぞれ長円形の係合孔を備え、
前記押圧部の両側面に逆凸状の係止ボタンをそれぞれ備え、前記アーム部の前記長円孔に前記係止ボタンを挿入することで袋状空間を形成して指の装着を可能にする前記指圧補助具において、
前記係合孔の側壁をラック状の歯を備えたラック状側壁とし、
前記アーム部の下部と前記係合孔の境界に更に、細く弾力性に富むブリッジを形成し、
前記ブリッジの先端に、前記係合孔の前記ラック状側壁と弾性係合する形状のプラグを形成し、
前記係止ボタンを前記係合孔の上部に挿入した状態で前記ラック状側壁に前記プラグを嵌入、係止することにより、前記袋状空間よりも小さい袋状空間を段階的に形成可能にして大小の指に対応可能とし、
前記押圧部は、指の先端と当接する周辺縁部分に前記押圧部表面より高い周縁壁を備える、ことを特徴とする前記指圧補助具。
【請求項８】
前記押圧部はその表面後部に、円弧状で先端側が急峻に突起している滑り止め部を設ける、ことを特徴とする請求項７の指圧補助具。
【請求項９】
指の爪先部分に対応する前記押圧部の前記先端部に中突起を設けることを特徴とする請求項７または８の指圧補助具。
【請求項１０】
前記押圧部の前方部の厚さを薄くすると共に前記押圧部の前記前方部の裏面の突起を小突起とする、ことを特徴とする請求項７乃至９の指圧補助具。
【請求項１１】
前記押圧部裏面の後側の突起は、前記小突起よりも大きな大突起とする、ことを特徴とする請求項７乃至１０の指圧補助具。
【請求項１２】
前記押圧部及び前記アーム部を、電気的絶縁性があり弾力性のあるゴムや合成樹脂などの同一材料で一体成形する、ことを特徴とする請求項７乃至１１の指圧補助具。
【請求項１３】
指の第１関節を越えて延長した前記押圧部及びアーム部を形成し、係止ボタンも指の第１関節を越えて前記押圧部の両側面に形成し、指の第１関節を越えた箇所で前記アーム部と係止ボタンを係止する、ことを特徴とする請求項７乃至１２の指圧補助具。
【発明の詳細な説明】
【技術分野】
【０００１】  本発明は指圧補助具に関し、特に指に装着して、指圧やマッサージ、整体などをより効果的に施術すると共に施術者の指を保護する器具に関する。
【背景技術】
【０００２】  指圧やマッサージ、整体などは古来から広く行われ、つぼを刺激したり筋肉やすじのこりをほぐして疲れを取る（以下、単に「施術」と称する）など、ストレスの多い現代人にとってほぼ生活の一部となっている。【０００３】  一般にそれらの施術は、指（特に親指）の腹でつぼを刺激したり、こりをほぐすことで行う。その際、より効率的に力を加えるため、指の代わりとなる様々な器具が開発されている。例えば、先端が丸みを帯びた棒や、先端にシリコンボールをつけた鉄砲状の器具を手に持ち、つぼやこりに当ててほぐすという施術も行われている。その他、低周波の電気的刺激や磁気作用を利用するものなどがある。【０００４】  また、それら指圧やマッサージ、整体の施術者や、施術を頻繁に行う人は、日常的に指を使うため、指の腱しょう炎にかかって指を痛める人が多い。しかし、上記の器具を使えば効率的に力を加えて施術できると共に、指を直接、こりに当てないので指を痛めることが少なく、指の保護にもなる。しかし一方、上記の器具を使う施術法では指で触診しないので、どの場所がこって、どの程度の強さでほぐすべきか分からないという欠点がある。また、十分な指圧並びに解剖学的な知識がないと施術すべき場所や強度を間違えて、つぼやこりに効率的、効果的に力を加えることができないだけでなく、被施術者に苦痛を与えかねない。【０００５】  そこで指に装着して、こりの場所やほぐしの必要強度を把握しつつ、力を効率的、効果的に加えられるようにしたマッサージ補助具が、公開実用新案公報昭５９−０４４４３８において提案されている。
【先行技術文献】
【実用新案文献】
【０００６】
【実用新案文献１】
公開実用新案公報  昭５９−０４４４３８
【発明の概要】
【発明が解決しようとする課題】
【０００７】  即ち、公開実用新案公報昭５９−０４４４３８の指圧・マッサージ補助具は、裏面に複数の突起２を有する押し板１と、装着した指を止着するバンド３とからなり、押し板の一部に斜面６を設けたり、凹面状にするなどして、指のすべりを防いでいる。【０００８】  しかし、前記マッサージ補助具を実際に指に装着して施術すると、様々な問題がある。まず、前記マッサージ補助具では、指を止着する前記バンド３に長円形の孔を設け、前記押し板１の両側部に係止ボタンを設けている。使用の際は、前記係止ボタンを前記長円孔に挿入して前記バンド３を係止して袋状空間を作り、該袋状空間に指を入れて装着する。しかし、該袋状空間のサイズは（最大サイズの）一つしかなく、様々なサイズの指に対応する調節機能はない。即ち、人々や男女により指の大きさは違うが、指の小さい人が指に装着するとすべって簡単に外れ、バンドから指がはみ出たり、力を十分に加えることができない。【０００９】  そこで、前記マッサージ補助具は、前記公開実用新案公報昭５９−０４４４３８で、押し板３の一部に斜面を設け凹面状にして指のすべりを防ぐことを強調しているが、前記斜面は指の（装着）挿入角度と実質的に同一であり、指を固定して指のすべりを防ぐ機能はない。【００１０】  更に、マッサージ補助具には本来、効率的、効果的につぼやこりに力を加えて施術する機能が求められるが、前記マッサージ補助具は押し板３の裏面に複数の突起を設けただけで、効率的、効果的につぼやこりに力を加えてほぐす機能は備えていない。【００１１】  また、指に装着するマッサージ補助具として、被施術者のこりを間接的ながら触診してこりの場所やほぐしの必要強度を把握することが望ましい。しかし、前記マッサージ補助具は分厚い押し板３の裏面に一定高さの複数の突起を設けただけで、触診してこりの場所やほぐしの必要強度を知るという発想はなく、実際の形状にもその発想は反映されていない。即ち、前記マッサージ補助具は指圧・マッサージの補助具としての機能を十分有さず、実用的ではなかった。【００１２】  また、施術者が腱しょう炎などで指を痛める箇所は、指を直立させて力を加えるため、指の第１関節が多く、指を保護するサポーターも市販されている。しかし、前記マッサージ補助具は指の先端部に装着するだけで第１関節に届かず、指の関節の保護に実質的に役立たない。【００１３】  そこで、本発明の目的は、上記問題を解決して、指圧補助具としての機能を充実させ、効率的、効果的につぼやこりに力を印加して刺激してほぐすと共に施術者の指を保護して、実用的な指装着式の指圧補助具を提供することである。
【課題を解決するための手段】
【００１４】  上記の問題を解決するため、本発明の指圧補助具は、裏側に複数の突起を設け、指で表面を押圧する押圧部と、前記押圧部の先端部と結合すると共に前記押圧部の両側面に向けて分岐した左右のアーム部とからなり、前記左右のアーム部はそれぞれ長円形の孔を備え、前記押圧部の両側面に逆凸状の係止ボタンをそれぞれ形成し、前記アーム部の前記長円孔に前記係止ボタンを挿入して係止することで袋状空間を形成して指の装着を可能にした前記指圧補助具において、前記押圧部はその両側面に、前記先端部を前側として、前記逆凸状係止ボタンの後側に同形状の追加係止ボタンを更に形成して指サイズ対応調節機能を備え、前記押圧部の、指の先端と当接する周辺縁部分に前記押圧部表面より高い周縁壁を備える。
【発明の効果】
【００１５】  前記押圧部両側面に前記追加係止ボタンを形成し、前記長円孔に前記追加係止ボタンに挿入係止すると、前記袋状空間よりも小さい袋状空間を形成できる。即ち、指のサイズに対応した調節機能を備えることができる。それにより、小さい指も確実に固定でき、指の力を効率的、効果的につぼやこりに加えることができる。
本発明では更に、前記押圧部の表面後部に円弧状で前記先端側が急峻に突起した滑り止め部を備える。それにより指を前記袋状空間に挿入して前記アーム部で締めると、容易に抜けなくなり、確実な滑り止めとすることができる。
また、指の爪先部分に対応する前記押圧部の前記先端部に、押圧部裏面の小突起よりも大きな中突起を設ける。それにより頑固なこりにも効率的、効果的に強力な力を加えてほぐすことができる。
更に、前記押圧部の前方部の厚さを薄くすると共に前記押圧部の裏面の前方側の突起を小突起とし、その後側の突起は、前記小突起よりも大きな大突起とする。それにより施術者は間接的に触診しつつ、施術箇所や必要強度に応じて突起の大きさを大中小と使い分けができ、効率的・効果的に施術できる。
また、本発明の第二の態様として、追加係止ボタンを設ける代わりに、前記アーム部から細く弾力性に富むブリッジを介して前記長円孔に向けて延伸し、係止ボタンを前記長円孔の最上部に挿入した状態で、前記長円孔の長径縁と弾性係合するプラグを備える。それによっても、小さい袋状空間を形成して指サイズ対応調節機能ができ、小さい指でも確実に固定できる。
また、前記押圧部及びアーム部を指の第１関節を越えて延長し、追加係止ボタンも指の第１関節を越えて形成し、指の第１関節を越えた箇所でアーム部と追加係止ボタンを係止することで、前記押圧部により指にかかる負荷を軽減し、指を保護できる。【００１６】
【図面の簡単な説明】
【００１７】
【図１】本発明の第１実施例の指圧補助具の斜視図。
【図２】本発明の第１実施例の指圧補助具の側面図。
【図３】本発明の第１実施例の指圧補助具の上面図で、図３（ａ）はその特に滑り止め部を示し、図３（ｂ）は前記滑り止め部の斜視図、図３（ｃ）は前記滑り止め部の断面図。
【図４】本発明の第１実施例の指圧補助具を示す正面図で、中突起をその前面に示す。
【図５】本発明の第１実施例の指圧補助具の押圧部の裏面を示す平面図。
【図６】本発明の第２実施例の指圧補助具のアーム係止部の拡大斜視図で、図６（ａ）はプラグを外して袋状空間を大きくした状態を示し、図６（ｂ）は前記プラグを長円孔のラック状側壁で係止して袋状空間を小さくした状態を示す。
【図７】本発明の第３実施例の指圧補助具の側面図を示す。
【発明を実施するための形態】
【００１８】  本発明の実施形態を図を参照して説明する。
【実施例１】
【００１９】  図１、２に示すように、本発明の指圧補助具１は、指で表面を押圧する押圧部２と、前記押圧部２との結合部（先端部）２Ｆから前記押圧部２の両側面に向けて分岐したバンド３（アーム部３Ｒ，３Ｌ）とからなる。前記押圧部２の裏面には、後述の複数の突起を形成する。前記左右に分岐したアーム部３Ｒ，３Ｌにはそれぞれに長円形の孔５を設ける。また、前記押圧部２の両側面に逆凸状の係止ボタン６をそれぞれ設ける。【００２０】  使用の際は、前記バンド３の前記押圧部２との結合部２Ｆを曲げ、それぞれのアーム部３Ｒ、３Ｌの前記長円孔５を広げてそれぞれの前記逆凸状係止ボタン６を挿入、係止することで袋状空間Ｓを形成することで、指を装着・固定可能になる。なお、本発明の前記押圧部２や前記バンド３など全ての構成部材は、弾力性のあるゴムや合成樹脂などの同一材料で一体成形する。【００２１】  ここで、上記のように、従来のマッサージ補助具では係止ボタン６は前記押圧部２の両側面に一個づつしかなく、様々な大きさの指に対応する調節機能はなかった。しかし、本発明の第１実施例の指圧補助具１では、前記押圧部２の両側面に、前記先端部２Ｆを前側として、前記逆凸状係止ボタン６の後側に別の係止ボタン７をそれぞれ形成する。更に、前記押圧部２の、指の先端と当接する周辺縁部分を前記押圧部２表面より高くして周縁壁２Ｗを作る。【００２２】  このように構成することで、前記アーム部３Ｒ、３Ｌの長円孔５に前記後側係止ボタン７を挿入、係止することで指を装着する袋状空間Ｓを小さくでき、指の小さい人でも確実に指を装着して固定できる。また、周縁壁Ｗで指を包みこむようにすることで、指が前記バンド３から指がはみ出たり、力を十分に付加できないということがなくなり、指の力を効率的に前記指圧補助具１にかけることができる。【００２３】  ここで、前記後側係止ボタン７は前記押圧部２の両側面に形成するので、前記両側アーム部３Ｒ、３Ｌを両方の前記前側係止ボタン６にかければ袋状空間Ｓは最大になり、前記両側アーム部３Ｒ、３Ｌを両方の前記後側係止ボタン７にかければ袋状空間Ｓは最小になり、例えば前記右側アーム部３Ｒを前記前側係止ボタン６にかけ、左側アーム部３Ｌを前記後側係止ボタン７にかければ袋状空間Ｓは中間サイズとなる。即ち、本実施例の構成により少なくとも３段階の指サイズ対応調節機能を持つことができる。【００２４】  また図１乃至３に示すように、本発明の指圧補助具１では前記押圧部２の後部に円弧状の滑りどめ部８を形成する。図３（ｂ）（ｃ）に示すようにこの滑りどめ部８の先端側は急峻に突起しているので、指をいったん前記袋状空間Ｓに挿入し、前記アーム部３Ｒ，３Ｌで締め付けると固定され、容易に抜けなくなる。即ち、指の滑りを防ぐことができ、確実な滑りどめとなる。【００２５】  更に、図１乃至４に示すように、本発明の前記指圧補助具１では前記押圧部２の先端部２Ｆに中突起９を設ける。人によって、こりが非常に頑固で強力な力や刺激を加えないとほぐれないことがある。人の指の中で、一点集中して一番強力な力を加えることのできる場所は、指の腹部分よりも指の爪先部分である。従って、本発明の前記指圧補助具１では爪先部分に対応する前記押圧���２の先端部２Ｆに前記中突起９を設けて、頑固なこりでも効率的、効果的に強力な力を加えてほぐすことができるようにしている。即ち、指圧補助具として実用的な機能を果たすことができる。【００２６】  図５は前記押圧部２の裏面を示す平面図である。上述のように指に装着する指圧補助具として、被施術者の身体のこりなどを間接的ながら触診して、つぼやこりの場所やほぐしの必要強度を的確に把握しつつ施術することに特徴がある。そこで、本発明の指圧補助具１では、指の中でも敏感な指の前腹部に対応する前記押圧部２の前部の厚さを薄くすると共に、前記押圧部２の裏面の前側の突起を小さくして小突起４Ｆとする。この構成により、弾力性のある前記押圧部２を介して触診することで、つぼやこりの場所やほぐしの必要強度を的確に把握でき、より精度の高い指圧やマッサージの施術を行うことができる。【００２７】  また、前記押圧部２の裏面の後側の突起は、前記中突起９や小突起４Ｆよりも大きな大突起４Ｒとする。肩などのしつこいこりを時間をかけてほぐす場合に、大突起４Ｒは有効である。即ち、頑固なこりは、強力な力や刺激を与えることのできる先端部２Ｆの中突起９でほぐし、時間をかけてほぐす場合は大突起４Ｒを使用し、中突起９や大突起４Ｒでほぐした後は、小突起４Ｆでならすようにほぐして痛みを取ることができる。つまり、本発明の指圧補助具１は、施術箇所や必要強度に応じて、突起の大きさを大中小と使い分けができ、効率的・効果的に施術することができる。また、それら大小の突起を通して効率的、効果的に力を加えることを可能にすることで施術者の指を保護でき、極めて実用的である。
【実施例２】
【００２８】  第１実施例の前記指圧補助具１では、前記逆凸状係止ボタン６の後側に別の前記係止ボタン７を形成し、前記アーム部３Ｒ、３Ｌの長円孔５を前記後側係止ボタン７に係止して袋状空間Ｓを小さくし、指の小さい人でも確実に指を固定できるようにした。第２実施例では、追加係止ボタン７を設けずとも、袋状空間Ｓを小さくして、指の小さい人でも指を確実に固定できる別の構成を説明する。なお、第２実施例のその他の構成要素は第１実施例と同様であるので、ここでは同様の参照符号を付してその重複説明を省く。【００２９】  図６は本発明の第２実施例の指圧補助具のアーム部３Ｒ、３Ｌと係止ボタン６との部分拡大斜視図である。即ち、図６（ａ）に示すように、本実施例では第１実施例の長円孔５の代わりに前記長円孔５よりも長い係合孔１１をそれぞれのアーム部３Ｌ，３Ｒに設け、その両側壁をラック状の歯を設けたラック状側壁１１ｗとする。前記係合孔１１の最下部の前記アーム部３Ｒ，３Ｌとの境からは細く弾力性に富むブリッジ１２を設ける。更に該ブリッジ１１の先端に前記ラック状側壁１１ｗのそれぞれの歯と噛合する形状のプラグ１３を設ける。なお、前述のように、前記アーム部３と前記プラグ１３、前記ブリッジ１１とも、弾力性のある同一材料で一体成形する。即ち、前記プラグ１３と弾性係合する。【００３０】  ここで、図６（ａ）のように前記プラグ１３をラック状側壁１１ｗから外して指を挿入すると、前記アーム部３Ｌ，３Ｒは最大限に伸びて前記係止ボタン６は前記係合孔１１の最下部に来て、袋状空間Ｓを最大にでき、大きい指を装着できる。一方、図６（ｂ）に示すように、前記係止ボタン６を前記係合孔１１の上部に挿入した状態で、矢印のように前記ラック状側壁１１ｗに前記プラグ１３を嵌入すると、前記係止ボタン６は前記係合孔１１で固定される。ここで、前記係止ボタン６は図３〜図６に示すように凸型をしており、前記プラグ１３が一旦、前記係合孔１１の前記ラック状側壁１１ｗに嵌合されると凸型のの前記係止ボタン６の一部が前記プラグ１３の一部を覆い、前記プラグ１３確実に係止され、抜けることはない。即ち、前記アーム部３Ｌ，３Ｒは最短になって袋状空間Ｓを小さくでき、指の小さい人でも指を確実に固定できる。なお、前記ラック状側壁１１ｗの歯の数を増やすことで、袋状空間Ｓを何段階にでも小さくでき、指の小さい人でも指を確実に固定できる。【００３１】  ここで、第１実施例同様、前記プラグ１３を外して前記両側アーム部３Ｒ、３Ｌを両方の前記係止ボタン６に係止すれば、係止ボタン６は係合孔１１の最上部に当たって袋状空間Ｓは最大になり、前記両側アーム部３Ｒ、３Ｌの係合孔１１の最上部に両方の前記係止ボタン６に係止して前記プラグ１３を前記ラック状側壁１１ｗの歯に嵌入、係止すると袋状空間Ｓは最小になり、例えば前記右側アーム部３Ｒを前記係止ボタン６に係止して前記プラグ１３を嵌入し、左側アーム部３Ｌを前記プラグ１３を外した状態で前記係止ボタン６に係止すれば、袋状空間Ｓは中間サイズとなる。即ち、本実施例の構成でも少なくとも３段階の指サイズに対応すると共に、複数歯を持つ前記ラック状側壁１１ｗを備えることで、更に大小の指に何段階でも柔軟に対応する調���機能を持つことができる。また、第１実施例のように、前記係止ボタン６の後側に追加の係止ボタン７を設ければ、更に多くの指サイズに対応可能となる。
【第３実施例】
【００３２】  また、上述のように施術者は、指を直立して力を加えることが多いので指の第１関節を痛めることが多い。図７は指Ｆ及び第３実施例の指圧補助具１の側面図である。本実施例ではそこで、指Ｆの第１関節Ｊを越えて延長した前記押圧部２及びアーム部３Ｒ、３Ｌを形成し、係止ボタン６も指の第１関節Ｊを越えて前記押圧部２の両側面に形成する。そして、施術の際は、指Ｆの第１関節Ｊを越えた箇所で前記アーム部３Ｒ、３Ｌの長円孔５に前記係止ボタン６を挿入、係止する。それにより、前記指圧補助具１に指をより確実に固定できると共に、弾力性を有しながらも一定の剛直性を有する前記押圧部２により指の関節を固定して関節にかかる負荷を軽減でき、指の関節を保護できる。なお、アーム部３Ｒ、３Ｌは指の関節の真上で固定するのではないので、前記押圧部２の弾力性が許す範囲で指を屈曲できる。
【００３３】  なお、上記に本発明の実施例を詳述したが、本発明は上記実施例に限定されない。例えば、上記実施例は親指に指圧補助具を装着することを想定しているが、親指だけでなく人差し指あるいは小指などに装着することも可能であり、その場合はそれぞれの施術場所や指の機能に適するように突起の大きさや場所を変えことができる。
【００３４】  更に、設計事項に該当する可能性があるので発明に加えていないが、両アーム部Ｒ，Ｌの、指の上面との接触箇所を、従来技術のように直線ではなく、Ｙ字状に前記先端側に凹んだ曲線状にすることで、指をより確実かつ安定して袋状空間Ｓに装着できる。
【符号の説明】
【００３５】１・・・指圧補助具、２・・・押圧部、２Ｗ・・・周縁壁、３Ｒ，３Ｌ・・・左右アーム部（バンド）、４Ｆ・・・小突起、４Ｒ・・・大突起、５・・・長円孔、６・・・（前側）係止ボタン、７・・・追加（後側）係止ボタン、８・・・滑りどめ部、９・・・中突起、１１・・・係合孔、１１ｗ・・・ラック状側壁、１２・・・ブリッジ、１３・・・プラグ、Ｓ・・・袋状空間、Ｆ・・・指、Ｊ・・・第一関節
【図１】
2015198878.tif 000003
【図２】
2015198878.tif 000004
【図３】
2015198878.tif 000005
【図４】
2015198878.tif 000006
【図５】
2015198878.tif 000007
【図６】
2015198878.tif 000008
【図７】
2015198878.tif 000009